(57)【要約】【課題】足甲部を保護する足甲保護部材と脛部の側面を保護する側面保護片を簡単に着脱できるようにしたレッグガードを提供する。【解決手段】脛部Ｓを保護する脛当て具１と、脛当て具１の下部に連結用帯体４を介して取着される足甲保護部材２とを、備え、連結用帯体４の表て面に、面状ファスナーの雄部・雌部の一方を形成し、かつ、脛当て具１の裏面に、面状ファスナーの雄部・雌部の他方が形成されている。【選択図】図１
2016214727.tif 000002
【特許請求の範囲】
【請求項１】
脛部（Ｓ）を保護する脛当て具（１）と、該脛当て具（１）の下部に連結用帯体（４）を介して取着される足甲保護部材（２）とを、備え、
上記連結用帯体（４）の表て面（４Ａ）に、面状ファスナーの雄部（８）・雌部（９）の一方を形成し、かつ、上記脛当て具（１）の裏面（１Ｂ）に、面状ファスナーの雄部（８）・雌部（９）の他方が形成されたことを特徴とするレッグガード。
【請求項２】
脛部（Ｓ）の前面を保護する脛当て具（１）と、該脛当て具（１）から左右方向の少なくとも一方に突出状として取着され脛部（Ｓ）の側面を保護する側面保護片（３）とを、備え、
上記側面保護片（３）の表て面（３Ａ）に、面状ファスナーの雄部（８）・雌部（９）の一方を形成し、かつ、上記脛当て具（１）の裏面（１Ｂ）に、面状ファスナーの雄部（８）・雌部（９）の他方が形成されたことを特徴とするレッグガード。
【請求項３】
脛部（Ｓ）の前面を保護する脛当て具（１）と、該脛当て具（１）の下部に連結用帯体（４）を介して取着される足甲保護部材（２）と、上記脛当て具（１）から左右方向の少なくとも一方に突出状として取着され脛部（Ｓ）の側面を保護する側面保護片（３）とを、備え、
上記連結用帯体（４）の表て面（４Ａ）に面状ファスナーの雄部（８）・雌部（９）の一方を形成すると共に上記側面保護片（３）の表て面（３Ａ）に面状ファスナーの雄部（８）・雌部（９）の一方を形成し、かつ、上記脛当て具（１）の裏面（１Ｂ）に、面状ファスナーの雄部（８）・雌部（９）の他方が形成されたことを特徴とするレッグガード。
【発明の詳細な説明】
【技術分野】
【０００１】
本発明は、レッグガードに関する。
【背景技術】
【０００２】
野球に於て、打者がバットで打ったボールが、打者自身の足に当たることを自打球と呼んでいる。この自打球は、打者が前方に踏み出す足（右打者では左足、左打者では右足）の脛部や足甲部に当たる確率が高い。硬式球を使用している場合には、自打球による衝撃が特に大きく、骨折や重度の打撲等のケガを負う虞れがあった。
そこで、従来、打者が脛部と足甲部を自打球の衝撃から保護するために装着するレッグガードが知られている（特許文献１参照）。
【先行技術文献】
【特許文献】
【０００３】
【特許文献１】特開平１１−１１４１２５号公報
【発明の概要】
【発明が解決しようとする課題】
【０００４】
特許文献１記載のレッグガードは、脛部を保護する脛当て具と、足甲部を保護する足甲保護部材とを、連結プレートによって一体状に連結していた。脛当て具は、脛部の前面から後面（ふくら脛）を被覆するように横断面Ｃ字状に形成されていた。
しかし、使用者が、足甲部や脛部の側面から後面までの保護を必要としない場合であっても、脛当て具の脛部の側面及び後面を被覆する部位を取り外すことや、足甲保護部材を簡単に取り外すことができなかった。
【０００５】
そこで、本発明は、足甲部を保護する足甲保護部材と脛部の側面を保護する側面保護片を簡単に着脱できるようにしたレッグガードを提供することを目的とする。
【課題を解決するための手段】
【０００６】
本発明に係るレッグガードは、脛部を保護する脛当て具と、該脛当て具の下部に連結用帯体を介して取着される足甲保護部材とを、備え、上記連結用帯体の表て面に、面状ファスナーの雄部・雌部の一方を形成し、かつ、上記脛当て具の裏面に、面状ファスナーの雄部・雌部の他方が形成されたものである。
【０００７】
また、脛部の前面を保護する脛当て具と、該脛当て具から左右方向の少なくとも一方に突出状として取着され脛部の側面を保護する側面保護片とを、備え、上記側面保護片の表て面に、面状ファスナーの雄部・雌部の一方を形成し、かつ、上記脛当て具の裏面に、面状ファスナーの雄部・雌部の他方が形成されたものである。
また、脛部の前面を保護する脛当て具と、該脛当て具の下部に連結用帯体を介して取着される足甲保護部材と、上記脛当て具から左右方向の少なくとも一方に突出状として取着され脛部の側面を保護する側面保護片とを、備え、上記連結用帯体の表て面に面状ファスナーの雄部・雌部の一方を形成すると共に上記側面保護片の表て面に面状ファスナーの雄部・雌部の一方を形成し、かつ、上記脛当て具の裏面に、面状ファスナーの雄部・雌部の他方が形成されたものである。
【発明の効果】
【０００８】
本発明のレッグガードによれば、面状ファスナーによって足甲保護部材を脛当て具に着脱自在に取着でき、足甲部の保護を必要としない使用者は、足甲保護部材を取外して使用できる。使用者の体格や好みに応じて、足甲保護部材の長さ、及び、取着位置を自由に変更することができる。着脱が非常に容易であり、かつ、迅速に行うことができる。
【０００９】
また、面状ファスナーによって側面保護片を脛当て具に着脱自在に取着でき、脛部の側面の保護を必要としない使用者は、側面保護片を取外して使用できる。右打者と左打者、あるいは、スイッチヒッター（両打ち）にも対応できる。また、使用者の体格や好みに応じて、側面保護片の長さ、及び、取着位置を自由に変更することができる。着脱が非常に容易であり、かつ、迅速に行うことができる。
【００１０】
また、面状ファスナーによって足甲保護部材と側面保護片を脛当て具に着脱自在に取着でき、足甲部の保護を必要としない使用者は、足甲保護部材を取外して使用でき、脛部の側面の保護を必要としない使用者は、側面保護片を取外して使用できる。右打者と左打者、あるいは、スイッチヒッター（両打ち）にも対応できる。また、使用者の体格や好みに応じて、足甲保護部材及び側面保護片の長さ、及び、取着位置を自由に変更することができる。着脱が非常に容易であり、かつ、迅速に行うことができる。
【図面の簡単な説明】
【００１１】
【図１】本発明の実施の一形態の使用状態を示した斜視図である。
【図２】本発明の実施の一形態を示した正面図である。
【図３】本発明の実施の一形態を示した背面図である。
【発明を実施するための形態】
【００１２】
以下、実施の形態を示す図面に基づき本発明を詳説する。
図１に示すように、本発明のレッグガードは、野球、ソフトボール等のスポーツ（球技）で、打者が自打球の衝撃から脛部Ｓを保護するために装着する打者用レッグガードとして使用される。
本発明のレッグガードは、脛部Ｓの前面を保護する脛当て具１と、脛当て具１の下部に連結用帯体４を介して取着される足甲保護部材２と、脛当て具１から左右方向の少なくとも一方に突出状として取着され脛部Ｓの側面を保護する側面保護片３とを、備えている。
【００１３】
図２と図３に示すように、脛当て具１は、裏面１Ｂに緩衝用パッド１０を有し、パッド１０の肘対応面に面状ファスナーの雌部９が略全面にわたって形成されている。
脛当て具１は、弯曲板片状の硬質保護板が、表皮１１とパッド１０の間に内装され、脛部Ｓの前面の弯曲面に対応して全体が横断面円弧状に形成されている。脛当て具１の裏面１Ｂを形成するパッド１０は、硬質保護板の裏面に密着して一体化しており、表皮１１とパッド１０の外周縁には全周にわたって縁巻部１２が縫製されている。なお、パッド１０と硬質保護板を直接縫着して、表皮１１と縁巻部１２を省略しても良い。パッド１０は、ポリウレタン系発泡樹脂から成る弾性発泡体を有し、肘対応面はポリエステル系合成樹脂をもって形成するのが好ましい。パッド１０の肘対応面に、ポリエステル系合成樹脂によって面状ファスナーの雌部９が形成されることで、脛当て具１の裏面１Ｂの肌触りが良くなり、柔らかく脛部Ｓの前面を包み込む為、装着感が向上するメリットがある。脛当て具１は、雄部と雌部を有するバックルによって連結可能としたベルト６，６を有している。図１に示す使用状態では、ベルト６を脛部Ｓに巻き付けて脛当て具１を装着する。脛当て具１は、単独で脛部Ｓに装着可能である。
【００１４】
足甲保護部材２には、連結用帯体４が一体に縫着され、図１の使用状態では、脛当て具１の下部に取着され、ゴムバンド２０によって足甲部に装着される。足甲保護部材２は、弯曲板片状の硬質保護板を内有し、裏面には緩衝用パッド２１を有している。
連結用帯体４は、表て面４Ａに面状ファスナーの雄部８が形成されている。面状ファスナーの雄部８は、連結用帯体４の先端縁近傍の表て面４Ａの一部に帯状に配設しても良く、あるいは、表て面４Ａの略全面に形成しても良い。脛当て具１と足甲保護部材２は面状ファスナーによって着脱自在であり、足甲保護部材２の長さや取着位置を、使用者の好みによって自由に変更可能である。
【００１５】
側面保護片３，３は、右側取着用と左側取着用の２種類を有している。側面保護片３の表て面３Ａには、面状ファスナーの雄部８が形成されている。
面状ファスナーの雄部８は、側面保護片３の一側端縁寄りに帯状に形成されている。側面保護片３は、細長い硬質樹脂製芯材を複数本内有しており、芯材と芯材の間にて表皮３１と裏地３２を縫い合わせることにより長手方向の縫着部３０が複数本形成されている。複数本の縫着部３０を上下方向に形成することで、表皮３１と裏地３２が芯材と芯材の間隙に入り込んで、側面保護片３が折曲可能となっている。図１の使用状態では、側面保護片３は、ベルト６が巻設されることで、脛部Ｓの側面に沿って複数箇所で折曲り、弯曲状となっている。脛当て具１と側面保護片３は面状ファスナーによって着脱自在であり、側面保護片３の左右方向突出長さや取着位置を、使用者の好みによって自由に変更可能である。
【００１６】
上述した本発明のレッグガードの使用方法（作用）について説明する。
図１に示すように、脛当て具１に足甲保護部材２と側面保護片３を、面状ファスナーによって取着し、脛部Ｓにベルト６，６を巻き付けて装着する。脛当て具１が脛部Ｓの前面を保護し、足甲保護部材２が足甲部を保護し、側面保護片３が脛部Ｓの側面を保護する。
足甲保護部材２と側面保護片３は、面状ファスナーによって、脛当て具１に着脱自在に取り付けられており、使用者の好みに応じて、足甲保護部材２・側面保護片３の取着位置を自由に変更できる。脛部Ｓの側面を保護する必要がない打者は、側面保護片３を取外して、脛当て具１と足甲保護部材２を装着して使用すれば良い。足甲部を保護する必要がない打者は、足甲保護部材２も取外して、脛当て具１単独で使用することも可能である。
【００１７】
なお、本発明は、設計変更可能であって、例えば、脛当て具１の裏面１Ｂに、面状ファスナーの雄部８を形成し、かつ、連結用帯体４の表て面４Ａに面状ファスナーの雌部９が形成され、側面保護片３の表て面３Ａに面状ファスナーの雌部９が形成されていても良い。また、脛当て具１・足甲保護部材２・側面保護片３の形状及びデザインは自由に変更できる。
【００１８】
以上のように、本発明に係るレッグガードは、脛部Ｓを保護する脛当て具１と、脛当て具１の下部に連結用帯体４を介して取着される足甲保護部材２とを、備え、連結用帯体４の表て面４Ａに、面状ファスナーの雄部８・雌部９の一方を形成し、かつ、脛当て具１の裏面１Ｂに、面状ファスナーの雄部８・雌部９の他方が形成されたので、面状ファスナーによって足甲保護部材２を脛当て具１に着脱自在に取着でき、足甲部の保護を必要としない使用者は、足甲保護部材２を取外して使用できる。使用者の体格や好みに応じて、足甲保護部材２の長さ、及び、取着位置を自由に変更することができる。着脱が非常に容易であり、かつ、迅速に行うことができる。
【００１９】
また、脛部Ｓの前面を保護する脛当て具１と、脛当て具１から左右方向の少なくとも一方に突出状として取着され脛部Ｓの側面を保護する側面保護片３とを、備え、側面保護片３の表て面３Ａに、面状ファスナーの雄部８・雌部９の一方を形成し、かつ、脛当て具１の裏面１Ｂに、面状ファスナーの雄部８・雌部９の他方が形成されたので、面状ファスナーによって側面保護片３を脛当て具１に着脱自在に取着でき、脛部Ｓの側面の保護を必要としない使用者は、側面保護片３を取外して使用できる。右打者と左打者、あるいは、スイッチヒッター（両打ち）にも対応できる。また、使用者の体格や好みに応じて、側面保護片３の長さ、及び、取着位置を自由に変更することができる。着脱が非常に容易であり、かつ、迅速に行うことができる。
【００２０】
また、脛部Ｓの前面を保護する脛当て具１と、脛当て具１の下部に連結用帯体４を介して取着される足甲保護部材２と、脛当て具１から左右方向の少なくとも一方に突出状として取着され脛部Ｓの側面を保護する側面保護片３とを、備え、連結用帯体４の表て面４Ａに面状ファスナーの雄部８・雌部９の一方を形成すると共に側面保護片３の表て面３Ａに面状ファスナーの雄部８・雌部９の一方を形成し、かつ、脛当て具１の裏面１Ｂに、面状ファスナーの雄部８・雌部９の他方が形成されたので、面状ファスナーによって足甲保護部材２と側面保護片３を脛当て具１に着脱自在に取着でき、足甲部の保護を必要としない使用者は、足甲保護部材２を取外して使用でき、脛部Ｓの側面の保護を必要としない使用者は、側面保護片３を取外して使用できる。右打者と左打者、あるいは、スイッチヒッター（両打ち）にも対応できる。また、使用者の体格や好みに応じて、足甲保護部材２及び側面保護片３の長さ、及び、取着位置を自由に変更することができる。着脱が非常に容易であり、かつ、迅速に行うことができる。
【符号の説明】
【００２１】
１  脛当て具
１Ｂ  裏面
２  足甲保護部材
３  側面保護片
３Ａ  表て面
４  連結用帯体
４Ａ  表て面
８  面状ファスナーの雄部
９  面状ファスナーの雌部
Ｓ  脛部
【図１】
2016214727.tif 000003
【図２】
2016214727.tif 000004
【図３】
2016214727.tif 000005